(57)【要約】【課題】複眼撮像系の光量調節装置について、コストアップや大型化を抑制すると共に撮像系間の光量差の低減を図ること。【解決手段】光を通過させる第１及び第２開口部と、前記第１開口部の少なくとも一部を開閉する第１開閉部と、前記第２開口部の少なくとも一部を開閉する第２開閉部と、単一の駆動源により前記第１及び第２開閉部を同期的に駆動する駆動部と、を備えた光量調節装置が提供される。【選択図】図２
2014119613.tif 000002
【特許請求の範囲】
【請求項１】
光を通過させる第１及び第２開口部と、
前記第１開口部の少なくとも一部を開閉する第１開閉部と、
前記第２開口部の少なくとも一部を開閉する第２開閉部と、
単一の駆動源により前記第１及び第２開閉部を同期的に駆動する駆動部と、
を備えた光量調節装置。
【請求項２】
前記第１及び第２開閉部は、それぞれ、可変の絞り開口を形成する複数の羽根部材を含み、
前記第１開閉部の前記複数の羽根部材と、前記第２開閉部の前記複数の羽根部材と、が互いに同じ羽根部材である、
ことを特徴とする請求項１に記載の光量調節装置。
【請求項３】
前記第１及び第２開口部は、それらの中心軸線が互いに平行となるように形成され、
前記第１及び第２開閉部の前記複数の羽根部材は、前記中心軸線と直交する方向に平行移動可能に設けられた、
ことを特徴とする請求項２に記載の光量調節装置。
【請求項４】
前記駆動部は、
前記複数の羽根部材と係合する係合部を含み、前記駆動源により回転するリンク部材を備え、
前記第１開閉部の前記複数の羽根部材と、前記第２開閉部の前記複数の羽根部材とは、前記リンク部材の回転中心に対して点対称に配置された、
ことを特徴とする請求項３に記載の光量調節装置。
【請求項５】
前記第１開閉部の前記複数の羽根部材は、光学フィルタが設けられた第１羽根部材を含み、
前記第２開閉部の前記複数の羽根部材は、光学フィルタが設けられた第２羽根部材を含み、
前記第１及び第２羽根部材は、それぞれ、前記第１及び第２開口部の各中心軸線に対して、同側方に位置する羽根部材である、
ことを特徴とする請求項３に記載の光量調節装置。
【請求項６】
前記第１及び第２開閉部の前記複数の羽根部材は、それぞれ、多角形の前記絞り開口を形成する、
ことを特徴とする請求項２乃至５のいずれか１項に記載の光量調節装置。
【請求項７】
前記第１及び第２開閉部は、それぞれ、光学フィルタを有する羽根部材を含む、
ことを特徴とする請求項１に記載の光量調節装置。
【請求項８】
前記第１開口部の少なくとも一部を開閉する第３開閉部と、
前記第２開口部の少なくとも一部を開閉する第４開閉部と、
単一の駆動源により前記第３及び第４開閉部を同期的に駆動する駆動部と、
を備え、
前記第１及び第２開閉部は、それぞれ、可変の絞り開口を形成する複数の羽根部材を含み、
前記第３及び第４開閉部は、それぞれ、光学フィルタを有する羽根部材を含む、
ことを特徴とする請求項１に記載の光量調節装置。
【請求項９】
請求項１乃至８のいずれか１項に記載の光量調節装置、
を備えたことを特徴とする撮像装置。
【発明の詳細な説明】
【技術分野】
【０００１】
本発明は光量調節装置及び撮像装置に関する。
【背景技術】
【０００２】
３Ｄ（３次元）撮影やパノラマ撮影を可能とするため、複眼撮像系が提案されている（例えば特許文献１）。この種の複眼撮像系では、通常、同一仕様の２つの撮影レンズが平行もしくは一定の輻輳角を有するように左右に並置される。光電変換素子を有するカメラの場合、左右の撮像系にて同時に撮影された２つの画像が所定の画像処理回路にて合成処理され、その後、１つの合成画像を得るように構成されている。
【先行技術文献】
【特許文献】
【０００３】
【特許文献１】特開平８−４３９６６号公報
【発明の概要】
【発明が解決しようとする課題】
【０００４】
このような複眼撮像系においては、絞り機構等の光量調節装置が撮像系毎に必要となり、部品点数の増加によるコストアップや装置の大型化を招きやすい。また、同一撮影条件にも関わらず撮像系間で調節動作にズレがあると、撮影光量差を生じて画質に悪影響を与える場合がある。
【０００５】
本発明の目的は、コストアップや大型化を抑制すると共に撮像系間の光量差の低減を図ることにある。
【課題を解決するための手段】
【０００６】
本発明によれば、例えば、光を通過させる第１及び第２開口部と、前記第１開口部の少なくとも一部を開閉する第１開閉部と、前記第２開口部の少なくとも一部を開閉する第２開閉部と、単一の駆動源により前記第１及び第２開閉部を同期的に駆動する駆動部と、を備えた光量調節装置が提供される。
【発明の効果】
【０００７】
本発明によれば、コストアップや大型化を抑制すると共に撮像系間の光量差の低減を図ることができる。
【図面の簡単な説明】
【０００８】
【図１】本発明の一実施形態に係る光量調節装置を備えた撮像装置の模式図。
【図２】図１の光量調節装置の分解斜視図。
【図３】図１の光量調性装置の透過図。
【図４】別実施形態の光量調節装置の分解斜視図。
【図５】別実施形態の光量調節装置の分解斜視図。
【図６】図５の光量調節装置の正面図。
【図７】別実施形態の光量調節装置の分解斜視図。
【図８】別実施形態の光量調節装置の分解斜視図。
【発明を実施するための形態】
【０００９】
＜第１実施形態＞
図１は本発明の一実施形態に係る光量調節装置１を備えた撮像装置１００の模式図である。撮像装置１００は例えばデジタルカメラであり、特に、３Ｄ撮影やパノラマ撮影を可能とするため、２つの撮像系を備えており、光量調節装置１はこれらの撮像系の絞り機構を構成している。
【００１０】
一方の撮像系は、レンズ１０１Ａ〜１０３Ａ及び撮像素子１０４Ａを備えており、レンズ１０１Ａ及び１０２Ａを透過した光が光量調節装置１の開口部１０Ａを通過するとともに絞られ、レンズ１０３Ａによって撮像素子１０４Ａに結像される構成である。
【００１１】
他方の撮像系も同様の構成であり、レンズ１０１Ｂ〜１０３Ｂ及び撮像素子１０４Ｂを備えている。そして、レンズ１０１Ｂ及び１０２Ｂを透過した光が光量調節装置１の開口部１０Ｂを通過するとともに絞られ、レンズ１０３Ｂによって撮像素子１０４Ｂに結像される。
【００１２】
レンズ１０１Ａ〜１０３Ａの光軸とレンズ１０１Ｂ〜１０３Ｂの光軸とは平行となるように構成されており、また、開口部１０Ａ及び１０Ｂの中心軸線（図２のＣＬＡ、ＣＬＢ）は対応する光軸に略一致している。
【００１３】
図２は光量調節装置１の分解斜視図、図３は光量調節装置１の透過図である。図３は、蓋部材１２を透過した光量調節装置１の正面図（光の入射方向から見た図）となっている。
【００１４】
光量調節装置１は、地板１１と、開閉部１３Ａ、１３Ｂと、蓋部１２と、駆動部１４と、を備える。
【００１５】
地板１１は、正面が開放した薄型の箱状をなしており、開口部１０Ａ、１０Ｂを形成する開口部１１Ａ、１１Ｂを備えている。本実施形態の場合、開口部１１Ａ、１１Ｂは同径の円形をなしており、それらの中心軸線ＣＬＡ、ＣＬＢは平行であって、開口部１１Ａ、１１Ｂは中心軸線ＣＬＡ、ＣＬＢと直交するＸ方向に並設されている。
【００１６】
地板１１のＸ方向の中央部には駆動部１４の取付部１１０が形成されている。取付部１１０は奥側に膨出した箱型をなしている。地板１１は、また、複数の係合部１１１〜１１８を備える。係合部１１１〜１１８は、開閉部１３Ａ、１３Ｂの羽根部材１３１Ａ、１３２Ａ、１３１Ｂ、１３２Ｂと係合してそのＸ方向の移動を案内する部材であり、本実施形態の場合、正面側へ突出したピン形状をなしている。地板１１は、例えば、プレス加工、樹脂成型等で作成される。
【００１７】
蓋部１２は地板１１の正面を塞ぐ板状の部材であり、開口部１０Ａ、１０Ｂを形成する開口部１２Ａ、１２Ｂを備えている。開口部１２Ａ、１２Ｂは開口部１１Ａ、１１Ｂと同形状で同心上に形成されている。蓋部１２は、また、係合部１１１〜１１８の先端が嵌合する複数の孔を有している。蓋部１２は、例えば、プレス加工、樹脂成型等で作成される。
【００１８】
開閉部１３Ａ、１３Ｂは、地板１１と蓋部１２との間に配置され、開口部１０Ａ、１０Ｂの少なくとも一部を開閉する。本実施形態では、開閉部１３Ａ、１３Ｂは絞り機構を構成するが、開口部１０Ａ、１０Ｂを全閉可能に構成されており、光量調節装置１をシャッタ機構として利用することも可能である。
【００１９】
本実施形態の場合、開閉部１３Ａは、可変の絞り開口ＡＰＡを形成する複数の羽根部材１３１Ａ、１３２Ａを備える。羽根部材１３１Ａ、１３２Ａは薄板状の部材であり、例えば、プレス成型、樹脂成型で作成される。
【００２０】
羽根部材１３１Ａは、ガイド孔１３１ａ〜１３１ｃ、係合孔１３１ｄ及び切欠部１３１ｅを備える。ガイド孔１３１ａ〜１３１ｃはＸ方向に延びる長孔であり、それぞれ、係合部１１１、１１２、１１３が挿通する。これにより、羽根部材１３１ＡはＸ方向に平行移動自在に地板１１に支持される。
【００２１】
係合孔１３１ｄは後述する駆動部１４と係合し、その駆動力が付勢される。本実施形態の場合、係合孔１３１ｄは上下に延びる長孔となっている。切欠部１３１ｅは絞り開口ＡＰＡを形成する。
【００２２】
羽根部材１３２Ａは、ガイド孔１３２ａ〜１３２ｃ、係合孔１３２ｄ及び切欠部１３２ｅを備える。ガイド孔１３２ａ〜１３２ｃはＸ方向に延びる長孔であり、それぞれ、係合部１１１、１１３、１１４が挿通する。これにより、羽根部材１３２ＡはＸ方向に平行移動自在に地板１１に支持される。
【００２３】
係合孔１３２ｄは後述する駆動部１４と係合し、その駆動力が付勢される。本実施形態の場合、係合孔１３２ｄは上下に延びる長孔となっている。切欠部１３２ｅは、切欠部１３１ｅと共に絞り開口ＡＰＡを形成する。本実施形態の場合、絞り開口ＡＰＡは多角形であり、特に四角形（ひし形）である。
【００２４】
羽根部材１３１Ａは蓋部１２側に、羽根部材１３２Ａは地板１１側に、それぞれ配置されており、駆動部１４によって、Ｘ方向で互いに逆方向に移動することになる。
【００２５】
開閉部１３Ｂは、可変の絞り開口ＡＰＢを形成する複数の羽根部材１３１Ｂ、１３２Ｂを備える。本実施形態の場合、羽根部材１３１Ｂ、１３２Ｂは羽根部材１３１Ａ、１３２Ａと同じ羽根部材である。これは部品種の削減に寄与する。
【００２６】
羽根部材１３１Ｂは、羽根部材１３１Ａを１８０度回転させた姿勢で配置される。羽根部材１３１Ｂのガイド孔１３１ａ〜１３１ｃには、それぞれ、係合部１１８、１１７、１１６が挿通する。これにより、羽根部材１３１ＢはＸ方向に平行移動自在に地板１１に支持される。
【００２７】
羽根部材１３２Ｂは、羽根部材１３２Ａを１８０度回転させた姿勢で配置される。羽根部材１３２Ｂのガイド孔１３２ａ〜１３２ｃには、それぞれ、係合部１１８、１１６、１１５が挿通する。これにより、羽根部材１３２ＢはＸ方向に平行移動自在に地板１１に支持される。羽根部材１３１Ｂの切欠部１３１ｅと羽根部材１３２Ｂの切欠部１３２ｅとが形成する絞り開口ＡＰＢも絞り開口ＡＰＡと同形状である。
【００２８】
羽根部材１３１Ｂは蓋部１２側に、羽根部材１３２Ｂは地板１１側に、それぞれ配置されており、駆動部１４によって、Ｘ方向で互いに逆方向に移動することになる。
【００２９】
駆動部１４は、単一の駆動源Ｍと、駆動源Ｍの駆動力を開閉部１３Ａ、１３Ｂに伝達する伝達機構であるリンク部材１４０とを備える。駆動源Ｍは本実施形態の場合モータであり、取付部１１０の背面に固定される。駆動源Ｍの出力軸は取付部１１０に設けた孔（不図示）を通って取付部１１０内に進入している。駆動源Ｍの出力軸は、中心軸線ＣＬＡ、ＣＬＢと平行で、かつ、これらと等距離となる位置に位置している。この出力軸にリンク部材１４０が固定されている。取付構造によっては、リンク部材１４０は出力軸と一体的に形成してもよい。
【００３０】
リンク部材１４０は、駆動源Ｍの出力軸が挿入される取付孔１４１を中心に備えたアーム状の部材であり、取付部１１０の内部空間に収容される。リンク部材１４０は、その両端部において、係合部１４２、１４３を備える。係合部１４２、１４３は本実施形態の場合、正面側へ突出したピン形状をなしている。取付孔１４１と、係合部１４２、１４３とは同一直線上に位置しており、取付孔１４１から各係合部１４２、１４３までの距離は等距離である。
【００３１】
係合部１４２は、羽根部材１３１Ａの係合孔１３１ｂと羽根部材１３２Ｂの係合孔１３２ｄとを挿通して係合する。駆動源Ｍによりリンク部材１４０が回動すると、羽根部材１３１Ａと羽根部材１３２ＢとはＸ方向で同方向に移動することになる。
【００３２】
係合部１４３は、羽根部材１３１Ｂの係合孔１３１ｂと羽根部材１３２Ａの係合孔１３２ｄとを挿通して係合する。駆動源Ｍによりリンク部材１４０が回動すると、羽根部材１３１Ｂと羽根部材１３２ＡとはＸ方向で同方向に移動し、かつ、羽根部材１３１Ａと羽根部材１３２Ｂとは逆方向に移動する。
【００３３】
この結果、リンク部材１４０の回動方向により絞り開口ＡＰＡ、ＡＰＢの開口面積の拡大、縮小を行うことができ、リンク部材１４０の回動量により絞り開口ＡＰＡ、ＡＰＢの開口面積を調節できる。このように、本実施形態では、駆動部１４によって開閉部１３Ａ、１３Ｂを同期的に同時に駆動することができる。
【００３４】
係る構成からなる光量調節装置１では、絞り開口ＡＰＡ、ＡＰＢの開口面積を調節することで、開口部１０Ａ、１０Ｂを通過する光の光量を調節することができる。本実施形態では、駆動部１４の駆動源Ｍを開閉部１３Ａ、１３Ｂに共通の駆動源とし、開閉部１３Ａ、１３Ｂで駆動部１４を共用する構成としたので、個別に設けた場合よりも、コストアップや大型化を抑制できる。また、開閉部１３Ａ、１３Ｂで駆動部１４を共用して、同期的にこれらが開閉動作を行うので、個別に開閉制御を行う場合よりも、調節動作のズレが生じにくく、撮像系間の光量差の低減を図ることができる。また、消費電力の削減も可能である。
【００３５】
本実施形態では、開閉部１３Ａの羽根部材１３１Ａ、１３２Ａと、開閉部１３Ｂの羽根部材１３１Ｂ、１３２Ｂとを、リンク部材１４０の回転中心（駆動源Ｍの出力軸）に対して点対称に配置している。これにより、開閉部１３Ａ、１３Ｂで相互に羽根部材を同じ部品としている。異部品とした場合よりも、コストダウンを図れると共に部品の製造誤差に起因した撮像系間の光量差も低減し得る。
【００３６】
＜第２実施形態＞
開閉部１３Ａ、１３Ｂには、それぞれ、ＮＤフィルタ等の光学フィルタを設けてもよい。図４は本実施形態に係る光量調節装置１Ａの分解斜視図である。上記第１実施形態と同様の構成については同じ符号を付して説明を省略し、以下、異なる点について説明する。
【００３７】
本実施形態の場合、開閉部１３Ａについては、羽根部材１３１Ａと、羽根部材１３２Ａとの配置が逆になっており、羽根部材１３１Ａが地板１１側に、羽根部材１３２Ａが蓋部１２側に、それぞれ配置されている。
【００３８】
羽根部材１３２Ａと、羽根部材１３１Ｂとには、それぞれ、ＮＤフィルタＦＡ、ＦＢが設けられている。ＮＤフィルタＦＡ、ＦＢの配設部位としては、例えば、羽根部材１３１Ａと羽根部材１３１Ｂとすることも考えられる。しかし、本実施形態では、各中心軸線ＣＬＡ、ＣＬＢに対して、同側方（本実施形態では正面視で右側）に位置する羽根部材である、羽根部材１３２Ａと、羽根部材１３１ＢとにＮＤフィルタＦＡ、ＦＢの配設した。これは、撮像系間での光量の非対称性を防止することができる。
【００３９】
＜第３実施形態＞
上記第１、第２実施形態では、絞り開口ＡＰＡ、ＡＰＢを四角形としたが、五角形以上の多角形としてもよい。図５は本実施形態に係る光量調節装置１Ｂの分解斜視図、図６は光量調節装置１Ｂの正面図である。上記第１実施形態と同様の構成については同じ符号を付して説明を省略し、以下、異なる点について説明する。本実施形態では六角形の絞り開口ＡＰＡ、ＡＰＢを形成する。
【００４０】
本実施形態の場合、取付部１１０Ａは、方形の箱状に形成されている。また、リンク部材１４０Ａは、４つの係合部１４２Ａ、１４２Ｂ、１４３Ａ、１４３Ｂを備える。係合部１４２Ａ、１４２Ｂ、１４３Ａ、１４３Ｂは、正面側へ突出したピン形状をなしている。取付孔１４１と、係合部１４２Ａ、１４２Ｂ、１４３Ａ、１４３Ｂとは同一直線上に位置しており、取付孔１４１から係合部１４２Ａ、１４３Ａまでの距離は等距離である。また、取付孔１４１から係合部１４２Ｂ、１４３Ｂまでの距離も等距離であり、取付孔１４１から係合部１４２Ａ、１４３Ａまでの距離の半分である。
【００４１】
開閉部１３Ａは、４つの羽根部材１３３Ａ〜１３６Ａを備え、これらは蓋部１２側から地板１１側へ順次配置されている。
【００４２】
羽根部材１３３Ａは、ガイド孔１３３ａ、１３３ｂ、係合孔１３３ｃ及び切欠部１３３ｄを備える。ガイド孔１３３ａ、１３３ｂはＸ方向に延びる長孔であり、それぞれ、係合部１１３、１１４が挿通する。これにより、羽根部材１３３ＡはＸ方向に平行移動自在に地板１１に支持される。
【００４３】
羽根部材１３４Ａは、ガイド孔１３４ａ、１３４ｂ、係合孔１３４ｃ及び切欠部１３４ｄを備える。ガイド孔１３４ａ、１３４ｂはＸ方向に延びる長孔であり、それぞれ、係合部１１３、１１４が挿通する。これにより、羽根部材１３４ＡはＸ方向に平行移動自在に地板１１に支持される。
【００４４】
羽根部材１３５Ａは、ガイド孔１３５ａ、１３５ｂ、係合孔１３５ｃ及び切欠部１３５ｄを備える。ガイド孔１３５ａ、１３５ｂはＸ方向に延びる長孔であり、それぞれ、係合部１１１、１１２が挿通する。これにより、羽根部材１３５ＡはＸ方向に平行移動自在に地板１１に支持される。
【００４５】
羽根部材１３６Ａは、ガイド孔１３６ａ、１３６ｂ、係合孔１３６ｃ及び切欠部１３６ｄを備える。ガイド孔１３６ａ、１３６ｂはＸ方向に延びる長孔であり、それぞれ、係合部１１１、１１２が挿通する。これにより、羽根部材１３６ＡはＸ方向に平行移動自在に地板１１に支持される。
【００４６】
切欠部１３３ｄ〜１３６ｄは、六角形の絞り開口ＡＰＡを形成する。係合孔１３３ｃ〜１３６ｃは上下方向に延びる長孔となっている。リンク部材１４０Ａの係合部１４２Ａは係合孔１３５ｃに、係合部１４２Ｂは係合孔１３６ｃに、係合部１４３Ａは係合孔１３３ｃに、係合部１４３Ｂは係合孔１３４ｃに、それぞれ挿通して係合する。駆動源Ｍによりリンク部材１４０Ａが回動すると、羽根部材１３３Ａ及び羽根部材１３４Ａの組みと、羽根部材１３５Ａ及び羽根部材１３６Ａの組みとが、Ｘ方向で逆方向に移動する。
【００４７】
開閉部１３Ｂは、４つの羽根部材１３３Ｂ〜１３６Ｂを備え、これらは蓋部１２側から地板１１側へ順次配置されている。本実施形態の場合、羽根部材１３３Ｂ〜１３６Ｂは羽根部材１３３Ａ〜１３６Ａと同じ羽根部材である。羽根部材１３３Ｂ〜１３６Ｂは、羽根部材１３３Ａ〜１３６Ａを１８０度回転させた姿勢で配置される。
【００４８】
羽根部材１３３Ｂのガイド孔１３３ａ、１３３ｂには、それぞれ、係合部１１６、１１５が挿通する。これにより、羽根部材１３３ＢはＸ方向に平行移動自在に地板１１に支持される。羽根部材１３４Ｂのガイド孔１３４ａ、１３４ｂには、それぞれ、係合部１１６、１１５が挿通する。これにより、羽根部材１３３ＢはＸ方向に平行移動自在に地板１１に支持される。
【００４９】
羽根部材１３５Ｂのガイド孔１３５ａ、１３５ｂには、それぞれ、係合部１１８、１１７が挿通する。これにより、羽根部材１３５ＢはＸ方向に平行移動自在に地板１１に支持される。羽根部材１３６Ｂのガイド孔１３６ａ、１３６ｂには、それぞれ、係合部１１８、１１７が挿通する。これにより、羽根部材１３６ＢはＸ方向に平行移動自在に地板１１に支持される。
【００５０】
羽根部材１３３Ｂ〜１３６Ｂの切欠部１３３ｄ〜１３６ｄは、絞り開口ＡＰＡと同形状の、六角形の絞り開口ＡＰＢを形成する。リンク部材１４０Ａの係合部１４２Ａは係合孔１３３ｃに、係合部１４２Ｂは係合孔１３４ｃに、係合部１４３Ａは係合孔１３５ｃに、係合部１４３Ｂは係合孔１３６ｃに、それぞれ挿通して係合する。駆動源Ｍによりリンク部材１４０Ａが回動すると、羽根部材１３３Ｂ及び羽根部材１３４Ｂの組みと、羽根部材１３５Ｂ及び羽根部材１３６Ｂの組みとが、Ｘ方向で逆方向に移動する。
【００５１】
以上の構成により、上記第１実施形態と同様に、リンク部材１４０Ａの回動方向により絞り開口ＡＰＡ、ＡＰＢの開口面積の拡大、縮小を行うことができ、リンク部材１４０Ａの回動量により絞り開口ＡＰＡ、ＡＰＢの開口面積を調節できる。
【００５２】
本実施形態においても、開閉部１３Ａと、開閉部１３Ｂとを、リンク部材１４０Ａの回転中心（駆動源Ｍの出力軸）に対して点対称に配置することで、開閉部１３Ａ、１３Ｂで相互に羽根部材を同じ部品としている。
【００５３】
＜第４実施形態＞
上記第１実施形態では、開閉部１３Ａ、１３Ｂが絞り機構を構成したが、ＮＤフィルタ等の光学フィルタの進退機構であってもよい。図７は本実施形態に係る光量調節装置１Ｃの分解斜視図である。上記第１実施形態と同様の構成については同じ符号を付して説明を省略し、以下、異なる点について説明する。
【００５４】
本実施形態の場合、取付部１１０Ｂは、小型の箱状に形成されている。また、地板１１は、上記第１実施形態における係合部１１３、１１４、１１７、１１８を備えておらず、これらに対応する孔も蓋部１２に設けられていない。リンク部材１４０Ｂは、１つの係合部１４２を備えており、係合部１４３は備えていない。
【００５５】
開閉部１３Ａは、１つの羽根部材１３７を備える。羽根部材１３７は、ガイド孔１３７ａ、１３７ｂ、係合孔１３７ｃ及びＮＤフィルタＦＡを備える。ガイド孔１３７ａ、１３７ｂはＸ方向に延びる長孔であり、それぞれ、係合部１１１、１１２が挿通する。これにより、羽根部材１３７はＸ方向に平行移動自在に地板１１に支持される。
【００５６】
開閉部１３Ｂは、１つの羽根部材１３８を備える。羽根部材１３８は、ガイド孔１３８ａ、１３８ｂ、係合孔１３８ｃ及びＮＤフィルタＦＢを備える。ガイド孔１３８ａ、１３８ｂはＸ方向に延びる長孔であり、それぞれ、係合部１１６、１１５が挿通する。これにより、羽根部材１３８はＸ方向に平行移動自在に地板１１に支持される。
【００５７】
係合部１４２は、羽根部材１３７の係合孔１３７ｃと羽根部材１３８の係合孔１３８ｃとを挿通して係合する。駆動源Ｍによりリンク部材１４０が回動すると、羽根部材１３７と羽根部材１３８とはＸ方向で同方向に移動することになる。
【００５８】
以上の構成により、リンク部材１４０Ｂの回動によって、ＮＤフィルタＦＡ、ＦＢを、それぞれ、開口部１０Ａ、１０Ｂに同期的に進退させることができる。上記第２実施形態と同様、本実施形態においても、各中心軸線ＣＬＡ、ＣＬＢに対して、同側方（本実施形態では正面視で右側）から進退するようにＮＤフィルタＦＡ、ＦＢを配設し、撮像系間での光量の非対称性を防止する構成としている。
【００５９】
＜第５実施形態＞
互いに独立して駆動される、絞り機構を構成する開閉部と、ＮＤフィルタ等の光学フィルタの進退機構を構成する開閉部と、の双方を備える構成としてもよい。図８は本実施形態に係る光量調節装置１Ｄの分解斜視図である。光量調節装置１Ｄは、上記第２実施形態の光量調節装置１ＡからＮＤフィルタＦＡ、ＦＢを省略した光量調節装置１Ａ’にＮＤフィルタの進退機構を増設した構成となっている。光量調節装置１Ａ’については、上記第２実施形態と同様の構成については同じ符号を付して説明を省略する。
【００６０】
本実施形態の場合、蓋部１７が追加されている。蓋部１７には、開口部１０Ａ、１０Ｂを形成する開口部１７Ａ、１７Ｂを備えている。開口部１７Ａ、１７Ｂは開口部１１Ａ、１１Ｂと同形状で同心上に形成されている。蓋部１７は、また、係合部１１１〜１１８の先端が嵌合する複数の孔を有している。
【００６１】
蓋部１２と蓋部１７との間には、ＮＤフィルタの進退機構を構成する開閉部１５Ａ、１５Ｂが配設されている。
【００６２】
開閉部１５Ａは、１つの羽根部材１５１を備える。羽根部材１５１は、ガイド孔１５１ａ〜１５１ｃ、係合孔１５１ｄ及びＮＤフィルタＦＡを備える。ガイド孔１５１ａ〜１５１ｃはＸ方向に延びる長孔であり、それぞれ、係合部１１１、１１２、１１３が挿通する。これにより、羽根部材１５１はＸ方向に平行移動自在に地板１１に支持される。係合孔１５１ｄは上下方向に延びる長孔である。
【００６３】
開閉部１５Ｂは、１つの羽根部材１５２を備える。羽根部材１５２は、ガイド孔１５２ａ〜１５２ｃ、係合孔１５２ｄ及びＮＤフィルタＦＢを備える。ガイド孔１５２ａ〜１５２ｃはＸ方向に延びる長孔であり、それぞれ、係合部１１５、１１６、１１７が挿通する。これにより、羽根部材１５２はＸ方向に平行移動自在に地板１１に支持される。係合孔１５ｄは上下方向に延びる長孔である。
【００６４】
駆動部１６は、単一の駆動源Ｍａと、駆動源Ｍａの駆動力を開閉部１５Ａ、１５Ｂに伝達する伝達機構であるリンク部材１６０とを備える。駆動源Ｍａは本実施形態の場合モータであり、取付部１６３を介して蓋部１７に固定される。駆動源Ｍａは、その出力軸と駆動源Ｍの出力軸とが同軸上に位置するように配置される。
【００６５】
リンク部材１６０は、駆動源Ｍａの出力軸が挿入される取付孔１６１を備えたアーム状の部材であり、取付部１６３の内部空間に収容される。リンク部材１６０は、その端部において、係合部１６２を備える。係合部１６２は本実施形態の場合、奥側へ突出したピン形状をなしている。係合部１６２は、蓋部１７に設けた弧状のスリット１７ａを通過して、蓋部１７と蓋部１２との間に進入している。
【００６６】
係合部１６２は、羽根部材１５１の係合孔１５１ｄと羽根部材１５２の係合孔１５２ｄとを挿通して係合する。駆動源Ｍａによりリンク部材１６０が回動すると、羽根部材１５１と羽根部材１５２とはＸ方向で同方向に移動することになる。これにより、リンク部材１６０の回動によって、ＮＤフィルタＦＡ、ＦＢを、それぞれ、開口部１０Ａ、１０Ｂに同期的に進退させることができる。上記第２及び第４実施形態と同様、本実施形態においても、各中心軸線ＣＬＡ、ＣＬＢに対して、同側方（本実施形態では正面視で右側）から進退するようにＮＤフィルタＦＡ、ＦＢを配設し、撮像系間での光量の非対称性を防止する構成としている。
【００６７】
以上の構成により、本実施形態では、開閉部１３Ａ、１３Ｂとによる絞り機構と、開閉部１５Ａ、１５ＢとによるＮＤフィルタ機構とを、駆動源Ｍ、Ｍａによってそれぞれ独立して駆動することができ、撮影条件の選択肢を増やすことができる。
【図１】
2014119613.tif 000003
【図２】
2014119613.tif 000004
【図３】
2014119613.tif 000005
【図４】
2014119613.tif 000006
【図５】
2014119613.tif 000007
【図６】
2014119613.tif 000008
【図７】
2014119613.tif 000009
【図８】
2014119613.tif 000010